(57)【要約】【課題】バウンダリーマイクロホンにおいて、固定用の雄ネジを用いることなく、ベース部にマイクカバーを固定できるようにする。【解決手段】上面側が開放された金属磁性体からなる扁平なベース部１０と、多数の開口を有しベース部１０の上面側を覆う金属磁性体からなるマイクカバー２０とを含むマイクロホンケース１内にコンデンサマイクロホンユニット３１が収納されているバウンダリーマイクロホンにおいて、ベース部１０とマイクカバー２０のいずれか一方に、いずれか他方を磁気的に吸着する永久磁石４０を設け、永久磁石４０によってベース部１０とマイクカバー２０とを着脱可能に固定する。【選択図】図１
2010226429.tif 000002
【特許請求の範囲】
【請求項１】
上面側が開放された金属磁性体からなる扁平なベース部と、多数の開口を有し上記ベース部の上面側を覆う金属磁性体からなるマイクカバーとを含むマイクロホンケースを備え、上記マイクロホンケース内にコンデンサマイクロホンユニットが収納されているバウンダリーマイクロホンにおいて、
上記ベース部と上記マイクカバーのいずれか一方に、いずれか他方を磁気的に吸着する永久磁石が設けられ、上記ベース部と上記マイクカバーとが上記永久磁石によって着脱可能に固定されていることを特徴とするバウンダリーマイクロホン。
【請求項２】
上記ベース部のほぼ中央部に上記マイクカバーの内面と所定の間隔をもって対向する突起が立設されており、上記突起の上端面に上記永久磁石が一体的に固定されていることを特徴とする請求項１に記載のバウンダリーマイクロホン。
【請求項３】
上記マイクカバーの周端面と上記ベース部との間に、弾性と導電性を併せもつガスケットが配置されていることを特徴とする請求項１または２に記載のバウンダリーマイクロホン。
【発明の詳細な説明】
【技術分野】
【０００１】
本発明は、テーブルや床面に置かれて使用されるバウンダリーマイクロホンに関し、さらに詳しく言えば、外来電磁波による雑音の発生を防止する技術に関するものである。
【背景技術】
【０００２】
バウンダリーマイクロホン（面上収音式マイクロホン）は、例えばＴＶスタジオや会議の席などにおいて、机や床面に設置して使用されることからサーフェイスマウントマイクロホンとも呼ばれている。その一例を図５の断面図により説明する。
【０００３】
これによると、バウンダリーマイクロホンに用いられるマイクロホンケース１は、基本的に、上面側が開放された扁平なベース部１０と、その上面を覆うようにしてベース部１０に取り付けられる多数の開口（音波導入孔）を有するマイクカバー２０の２つの部品から構成される。
【０００４】
通常、ベース部１０は、亜鉛ダイカストなどの鋳造により形成され、マイクカバー２０には、パンチングプレート（多孔板）が用いられる。パンチングプレートに代えて金網体が用いられることもある。
【０００５】
マイクカバー２０はベース部１０に対してネジ止めされるが、多点でネジ止めすると見栄えがよくないことから、多くの場合、１点止めとしている。
【０００６】
すなわち、マイクカバー２０のほぼ中央にネジ挿通孔２１を穿設するとともに、ベース部１０側には雌ネジ１２を有するボス１１を立てて、固定用の雄ネジ２２をネジ挿通孔２１から相手方となるボス１１の雌ネジ１２に螺合して、マイクカバー２０をベース部１０に固定するようにしている。
【０００７】
これにより、マイクロホンケース１内にシールド空間が形成され、その内部にマイクロホンユニット３１が回路基板３０に実装された状態で収納される。バウンダリーマイクロホンにおいて、マイクロホンユニット３１には、通常、コンデンサマイクロホンユニットが用いられる。
【０００８】
図示しないが、回路基板３０には、インピーダンス変換器や音質調整回路，出力回路なども実装されている。また、回路基板３０にはマイクコード３２が接続され、マイクコード３２はコードブッシュ３３を介してベース部１０から引き出される。
【０００９】
ところで、マイクカバー２０に用いられるパンチングプレートは、多数の孔が開けられた例えば鉄板よりなり、所定の形状に切り出されたのちプレスで目的とする形状に加工されるが、多孔板であるためベース部２０と接触する周端部２０ａ（切断面）は不斉一でギザギザしている。
【００１０】
また、ベース部１０はダイカスト製の場合、その鋳肌面は平坦ではない。そのため、ベース部１０と、マイクカバー２０との電気的な接続は多点での点接触となっているが、放送局で使用されている通常のＶＨＦ，ＵＨＦ帯などの電磁波による干渉については、上記したベース部１０とマイクカバー２０によるシールドで十分に対応することができる。
【００１１】
しかしながら、近年急速に普及されている携帯電話機による雑音発生対策が急務とされている。すなわち、携帯電話機が使用されるとかなり強い電磁波（例えば、数ｃｍ〜数１０ｃｍ程度の範囲内では商用電波により市中で生じている電界強度の数万倍に達する電界強度）が放射されることから、上記したベース部１０とマイクカバー２０とによるシールドでは不十分であり、携帯電話機がマイクロホンの近傍で使用されると、その強力な電磁波によって雑音が発生することがある。
【００１２】
この点を解決するため、特許文献１に記載された発明では、図５に示すように、ベース部１０とマイクカバーの周端部２０ａとの間に、弾性と導電性とを併せもつ導電布等からなるガスケット３４を挟み込むようにしている。
【００１３】
これによれば、ベース部１０とマイクカバー２０とによるシールドがより確実なものとなるが、なおも改善される余地が残されている。すなわち、ベース部１０に対してマイクカバー２０を固定する際に用いる雄ネジ２２に問題がある。
【００１４】
通常、雄ネジ２２には機械強度を確保するうえで鉄製のものが用いられるが、その頭部が外部に露出するため、もっぱら意匠上の観点から、雄ネジ２２には例えば黒色塗装が施される。また、マイクカバー２０の用いられるパンチングプレートにも、同様に例えば黒色塗装が施される。
【００１５】
そのため、雄ネジ２２とマイクロホンケース１との電気的接続が高周波的に不安定となる。また、雄ネジ２２はマイクカバー２０を貫通してマイクロホンケース１内に入り込んでいるため、雄ネジ２２が磁心となってマイクロホンケース１内に電磁波が侵入してしまうことがある。ちなみに、雄ネジ２２を取り外すと、電磁波による雑音が低下することが確認されている。
【先行技術文献】
【特許文献】
【００１６】
【特許文献１】特開２００５−３３３１８０号公報
【発明の概要】
【発明が解決しようとする課題】
【００１７】
したがって、本発明の課題は、バウンダリーマイクロホンにおいて、固定用の雄ネジを用いることなく、ベース部にマイクカバーを固定できるようにすることにある。
【課題を解決するための手段】
【００１８】
上記課題を解決するため、本発明は、上面側が開放された金属磁性体からなる扁平なベース部と、多数の開口を有し上記ベース部の上面側を覆う金属磁性体からなるマイクカバーとを含むマイクロホンケースを備え、上記マイクロホンケース内にコンデンサマイクロホンユニットが収納されているバウンダリーマイクロホンにおいて、上記ベース部と上記マイクカバーのいずれか一方に、いずれか他方を磁気的に吸着する永久磁石が設けられ、上記ベース部と上記マイクカバーとが上記永久磁石によって着脱可能に固定されていることを特徴としている。
【００１９】
本発明の好ましい態様によれば、上記ベース部のほぼ中央部に上記マイクカバーの内面と所定の間隔をもって対向する突起が立設されており、上記突起の上端面に上記永久磁石が一体的に固定される。
【００２０】
また、上記マイクカバーの周端面と上記ベース部との間に、弾性と導電性を併せもつガスケットが配置される。
【発明の効果】
【００２１】
本発明によれば、ベース部とマイクカバーとを永久磁石の磁気吸着力により固定するようにしたことにより、マイクロホンケース内に入り込む固定用の雄ネジおよびそのネジ挿通孔が不要となり、携帯電話機等から放射される強力な電磁波に対するシールド性をより高めることができる。
【００２２】
また、ベース部のほぼ中央部にマイクカバーの内面と所定の間隔をもって対向する突起を立設し、その突起の上端面に永久磁石を一体的に固定することにより、マイクカバーをベース部に対して安定して固定することができる。
【００２３】
また、ベース部とマイクカバーとを比較的容易に分離することができるため、例えばベース部とマイクカバーとを別々の色に簡単に塗装を施すことができる。すなわち、設置場所等に応じて、容易に塗装色を変えることができる。
【００２４】
また、マイクカバーの周端面とベース部との間に、弾性と導電性を併せもつガスケットを配置することにより、マイクロホンケースのシールドをほぼ完全なものとすることができる。
【図面の簡単な説明】
【００２５】
【図１】本発明の実施形態に係るバウンダリーマイクロホンを示す断面図。
【図２】上記バウンダリーマイクロホンの塗装替えを行う際の準備手順を示す断面図。
【図３】上記バウンダリーマイクロホンのベース部とマイクカバーとに塗装する状態を示す分解断面図。
【図４】塗装後の組み立て状態を示す断面図。
【図５】従来のバウンダリーマイクロホンを示す断面図。
【発明を実施するための形態】
【００２６】
次に、図１ないし図４を参照して、本発明の実施形態について説明するが、本発明はこれに限定されるものではない。なお、この実施形態の説明において、先の図５で説明した従来のバウンダリーマイクロホンと変更を要しない構成要素には同じ参照符号を用いる。
【００２７】
図１に示すように、本発明のバウンダリーマイクロホンにおいても、マイクロホンケース１は、基本的に、上面側が開放された金属磁性体からなる扁平なベース部１０と、その上面側を覆うようにしてベース部に固定される多数の開口（音波導入孔）を有する金属磁性体からなるマイクカバー２０の２つの部品から構成される。
【００２８】
ベース部１０は、亜鉛ダイカストなどの鋳造により形成されるが、これ以外に例えば鉄板のプレス成型品が用いられてもよい。マイクカバー２０は、鉄製などのパンチングプレート（多孔板）が用いられるが、パンチングプレートに代えて金網体（鋼線からなるカードメッシュ）が用いられてもよい。
【００２９】
マイクロホンケース１内、すなわちベース部１０とマイクカバー２０とで作られるシールド空間内に、コンデンサマイクロホンユニット３１が回路基板３０に実装された状態で収納される。これとは異なり、コンデンサマイクロホンユニット３１を適当な弾性シートを介してベース部１０上に載置し、固定バンド等にて固定するようにしてもよい。
【００３０】
図示しないが、回路基板３０には、音質調整回路やインピーダンス変換器、出力回路などが実装される。また、回路基板３０からはマイクコード３２が接続され、マイクコード３２は、コードブッシュ３３を介してマイクロホンケース１の外に引き出される。
【００３１】
ベース部１０にマイクカバー２０を固定するにあたって、本発明では、ネジ手段ではなく、永久磁石４０を用いる。
【００３２】
すなわち、ベース部１０およびマイクカバー２０ともに、金属磁性体からなるため、永久磁石４０の磁気吸着力にて、ベース部１０とマイクカバー２０とを固定する。なお、固定と言っても永久磁石によるものであるから、溶接等による永久的な固定ではなく、着脱（取り外し）は可能である。
【００３３】
永久磁石４０は、ベース部１０もしくはマイクカバー２０のいずれか一方に設けられてよいが、異極同士が対向することを条件として、ベース部１０とマイクカバー２０の双方に設けられてもよい。
【００３４】
この実施形態では、ベース部１０のほぼ中央部分に、すなわち、先の図５で説明した従来例でのボス１１に相当する部分に柱状の突起４１を立設し、この突起４１の上端面に永久磁石４０を例えば接着剤等を介して固定している。
【００３５】
本発明では、マイクカバー２０は永久磁石４０の磁気吸着力によってベース部１０に固定されるため、先の図５で説明した固定用の雄ネジ２２およびネジ挿通孔２１が不要となり、その分、シールド性が高められる。また、見栄えも改善される。
【００３６】
マイクカバー２０は、パンチングプレートもしくは金網体からなり、ベース部１０と接触する周端面は不斉一でギザギザしているため、特に携帯電話機から放射される強い電磁波に対するシールド性を高めるうえで、マイクカバー２０とベース部１０の合わせ面に、弾性と導電性とを併せ持つ例えば導電布からなるガスケット３４を挟み込ませることが好ましい。
【００３７】
本発明によれば、マイクカバー２０をベース部１０から比較的簡単に取り外すことができるため、例えば設置場所等に合わせて、ベース部１０とマイクカバー２０の各塗装色を容易に変えることができる。その手順の一例を図２ないし図４により説明する。
【００３８】
まず、図２に示すように、マイクカバー２０を取り外し、上面側が開放された状態となったベース部１０に塗装用マスク５０を被せる。
【００３９】
塗装用マスク５０は、振動や衝撃等によって容易にずれないようにするため、永久磁石４０によって磁気吸着される金属磁性体であることが好ましいが、ベース部１０に対して固定できれば他の材料によって構成されてもよい。
【００４０】
そして、図３に示すように、例えばスプレー塗装により、マイクカバー２０に所定色の塗膜５１を付け、また、ベース部１０にも異なる色の塗膜５２を付ける。図３では、塗装用マスク５０の全面に塗膜５２が付けられているが、実際の塗装作業では、主にベース部１０の周縁部分に塗膜５２が付けられる。
【００４１】
塗膜５１，５２を乾燥したのち、ベース部１０から塗装用マスク５０を取り外し、図４に示すように、別に塗装されたマイクカバー２０をベース部１０に対して固定する。このようにして、ベース部１０とマイクカバー２０とを容易に所望とする色に塗装することができる。
【００４２】
上記実施形態では、ベース部１０のほぼ中央部分に柱状の突起４１を立てて、その上に永久磁石４０を配置しているが、磁気吸着力による固定をより確実にするとともに、シールド性をより高めるには、ガスケット３４に代えて、例えば電気冷蔵庫の扉に設けられる帯状のマグネットゴムをマイクカバー２０とベース部１０の合わせ面に配置するとよい。
【００４３】
以上、本発明によれば、ベース部１０にマイクカバー２０を固定するための雄ネジが不要となるので、マイクロホンケースのシールド性がより高められる。また、ベース部１０とマイクカバー２０とを容易に所望とする色に塗装することができる。
【符号の説明】
【００４４】
１  マイクロホンケース
１０  ベース部
２０  マイクカバー
２０ａ  周端部
３０  回路基板
３１  コンデンサマイクロホンユニット
３２  マイクコード
３３  コードブッシュ
３４  ガスケット
４０  永久磁石
４１  突起
５０  塗装用マスク
５１，５２  塗膜
【図１】
2010226429.tif 000003
【図２】
2010226429.tif 000004
【図３】
2010226429.tif 000005
【図４】
2010226429.tif 000006
【図５】
2010226429.tif 000007